(57)【特許請求の範囲】
【請求項１】
着用者（３０）の体の上部と下部を覆うワンピース衣服（１０）であって、
ａ）前面部（１２）及びシート領域（１６）を含む背面部（１４）、
ｂ）衣服右手サイド（１７）と衣服左手サイド（１８）、
ｃ）ウエスト領域（２０）、
ｄ）少なくとも一つの閉止デバイス（２１）及びその終端部（２３）と始端部（２５）、を有し、
ｅ）該少なくとも一つの閉止デバイスは該衣服右手サイド（１７）と該衣服左手サイド（１８）に沿って側方へ、少なくとも該終端部（２３）が該前面部（１２）に配置されて該シート領域（１６）の開放を可能にするように、配置され、
該少なくとも一つの閉止デバイスは、
ａ１）該衣服左手サイド（１８）のまわりで該前面部（１２）と該背面部（１４）の間で側方へ配置された第一の閉止デバイス（２６）、
ｂ１）該衣服右手サイド（１７）のまわりで該前面部（１２）と該背面部（１４）の間で側方へ配置された第二の閉止デバイス（２８）、を有し、
ｃ１）該シート領域（１６）の開放を可能にするように該第一の閉止デバイス（２６）と該第二の閉止デバイス（２８）の終端部（２３Ａ，２３Ｂ）は該前面部（１２）に配置され、該第一の閉止デバイス（２６）と該第二の閉止デバイス（２８）の始端部（２５Ａ，２５Ｂ）は互いに対向して該背面部（１４）に配置されており、
該衣服（１０）は該前面部（１２）及び／又は該背面部（１４）に少なくとも一つの弾性コンポーネント及び少なくとも一つのストレッチング・ゾーン（２２，２４）を有し、
前記衣服を適切にぴったりとフィットしてしわにならないように着け続けることができるように、前記少なくとも一つの弾性コンポーネントと該第一の閉止デバイス及び該第二の閉止デバイスとの間の応力が前記少なくとも一つのストレッチング・ゾーンによって補償され、
ｄ１）該前面部（１２）に第一のストレッチング・ゾーン（２２）を有し、該背面部（１４）に第二のストレッチング・ゾーン（２４）を有し、該第一のストレッチング・ゾーン（２２）は該前面部（１２）に第一の開口（３２）を有することを特徴とするワンピース衣服（１０）。
【請求項２】
該第一の閉止デバイス（２６）と該第二の閉止デバイス（２８）が該ウエスト領域（２０）に配置されていることを特徴とする請求項１に記載の衣服（１０）。
【請求項３】
該少なくとも一つのストレッチング・ゾーン（２２，２４）は該ウエスト領域（２０）に配置されていることを特徴とする請求項１に記載の衣服（１０）。
【請求項４】
該少なくとも一つのストレッチング・ゾーン（２２，２４）は該第一及び第二の閉止デバイス（２６，２８）の終端部（２３Ａ，２３Ｂ）の間、又は該第一及び第二の閉止デバイス（２６，２８）の始端部（２５Ａ，２５Ｂ）の間に配置されて、該終端部（２３Ａ，２３Ｂ）の間又は該始端部（２５Ａ，２５Ｂ）の間で引き伸ばすことができる領域を形成することを特徴とする請求項１に記載の衣服（１０）。
【請求項５】
該少なくとも一つのストレッチング・ゾーン（２２，２４）は該少なくとも一つの弾性コンポーネントにおいて開口を有することを特徴とする請求項１〜４のいずれか１項に記載の衣服（１０）。
【請求項６】
該少なくとも一つのストレッチング・ゾーン（２２，２４）は引き伸ばすことができるコンポーネントを有することを特徴とする請求項１〜４のいずれか１項に記載の衣服（１０）。
【請求項７】
該第二のストレッチング・ゾーン（２４）は該背面部（１４）に第二の開口（３４）を有することを特徴とする請求項１に記載の衣服（１０）。
【請求項８】
該第一の閉止デバイス（２６）は該第一のストレッチング・ゾーン（２２）と該第二のストレッチング・ゾーン（２４）の間に配置され、該第二の閉止デバイス（２８）は該第一のストレッチング・ゾーン（２２）と該第二のストレッチング・ゾーン（２４）の間に配置されることを特徴とする請求項１に記載の衣服（１０）。
【請求項９】
該第一及び第二の閉止デバイス（２６，２８）は連続的であり、歯を有するジップファスナー又は封止リップを有するジップファスナーを有することを特徴とする請求項１に記載の衣服（１０）。
【請求項１０】
該第一の閉止デバイス（２６）は第一のジップファスナーを有し、該第二の閉止デバイス（２８）は第二のジップファスナーを有し、該第一及び第二のジップファスナーは該ウエスト領域（２０）に配置されることを特徴とする請求項９に記載の衣服（１０）。
【請求項１１】
該第一及び第二のジップファスナーの終端部（２３Ａ，２３Ｂ）が第一のストレッチング・ゾーン（２４）に割り当てられ、該第一及び第二のジップファスナーの始端部（２５Ａ，２５Ｂ）が第二のストレッチング・ゾーン（２４）に割り当てられることを特徴とする請求項１〜１０のいずれか一項に記載の衣服（１０）。
【請求項１２】
着用者（３０）の体の上部と下部を覆うワンピース衣服（１０）であって、
ａ）前面部（１２）及びシート領域（１６）を含む背面部（１４）、
ｂ）衣服右手サイド（１７）と衣服左手サイド（１８）、
ｃ）ウエスト領域（２０）、
ｄ）少なくとも一つの閉止デバイス（２１）及びその終端部（２３）と始端部（２５）、を有し、
ｅ）該少なくとも一つの閉止デバイスは該衣服右手サイド（１７）と該衣服左手サイド（１８）に沿って側方へ、少なくとも該終端部（２３）が該前面部（１２）に配置されて該シート領域（１６）の開放を可能にするように、配置され、該終端部（２３）と該始端部（２５）が該前面部（１２）に配置され、
ｆ）該衣服（１０）は少なくとも一つの弾性コンポーネント及び少なくとも一つのストレッチング・ゾーン（２２）を有し、
前記衣服を適切にぴったりとフィットしてしわにならないように着け続けることができるように、前記少なくとも一つの弾性コンポーネントと該少なくとも一つの閉止デバイスとの間の応力が前記少なくとも一つのストレッチング・ゾーンによって補償され、
ｇ）該少なくとも一つのストレッチング・ゾーン（２２）は、該閉止デバイス（２１）の終端部（２３）と始端部（２５）の間に配置され、かつ該少なくとも一つの弾性コンポーネントに開口を有することを特徴とするワンピース衣服（１０）。
【請求項１３】
該少なくとも一つの閉止デバイス（２１）は該ウエスト領域（２０）に配置されることを特徴とする請求項１〜１２のいずれか一項に記載の衣服（１０）。
【請求項１４】
該少なくとも一つの閉止デバイス（２１）はジップファスナーを含むことを特徴とする請求項１〜１３のいずれか一項に記載の衣服（１０）。
【請求項１５】
サイクリング用ビブパンツから成る請求項１〜１４のいずれか１項に記載の衣服（１０）。
【発明の詳細な説明】
【技術分野】
【０００１】
本発明は、少なくとも一つの閉止デバイスが側面に延びているワンピース衣服に関する。この少なくとも一つの側方閉止デバイスによって、この衣服の着用者は、このワンピース衣服を脱ぐことなくトイレを使用できるような仕方で衣服のシート領域を開くことができる。本発明は、特に、２つのジップファスナーがそれぞれ衣服の側面をめぐって延び、その結果シート領域を開くことができるようになっているワンピース衣服に関する。
【背景技術】
【０００２】
ある種のスポーツ活動に関連する特殊な衣服が近年ますますポピュラーになってきている。なかでも、サイクリングの特別な要求に適合する特殊なデザインがスポーツ・サイクリストのために開発されている。特にサイクリング用のワンピース・スーツ、例えばワンピースのビブ（bib）パンツ、には今日までずっとサイクリストからの需要が高い。天候やその他の条件によっては、さらに別の衣服、例えばＴシャツ又はジャケットを通常ワンピースのビブパンツの上から着用する。この場合、特に女性の着用者の場合、トイレを使用するためにまずすべての衣服を脱がなければならないという問題がある。これは時間も手間もかかる。特に着用者が発汗していて着衣が湿っている場合はなおさらである。ワンピースのスキースーツでも事情は同様である。トイレを使用するたびにはスキースーツを少なくとも一部脱がなければならない。
【０００３】
特許文献１は、シート領域を開くことができるジャンプスーツを記載している。このジャンプスーツはシート領域に別のシート部を有する。シート部は弾力的なウエストバンドとサイドエッジを有する。サイドエッジは、折り畳み可能な中間ピースによってジャンプスーツと接合される。シート部は、例えばウエストバンドの端にあるボタンによってジャンプスーツに固定される。
【０００４】
これらのボタンはジャンプスーツの対応するボタンホールに留められる。この状態で中間ピースはそれぞれ畳まれてポケットを形成する。ボタンによって固定されないとき、シート部は離れて、臀部を越えて脚まで引き下げることができる。この場合、ジャンプスーツとシート部の間の中間ピースの長さがシート領域を開くことができる範囲を決定する。このデザインは、ぴったりとフィットするサイクリング・ウエアには望ましくない。背中の弾性的なウエストバンド、わきのボタン、そして折り畳まれるポケットが、着用して快適でないからである。さらに、別になっているシート部を臀部を越えて十分に引くには中間ピースを大きな寸法に作らなければならない。
【０００５】
特許文献２は、トイレの使用を容易にするように股の部分にジップファスナーを有するワンピースのサイクリング・パンツを記載している。この特許出願は股の部分におけるジップファスナーの存在を快適にする工夫をしているが、それでもこの位置に摩擦を生む物質及び／又はアイテムを設けることは望ましいことではない。さらに、股部分におけるジップファスナーは十分に大きく作ることができない。
【先行技術文献】
【特許文献】
【０００６】
【特許文献１】米国特許第５，１６３，１８２号
【特許文献２】国際公開公報第２００９／０２１６２１号
【発明の概要】
【発明が解決しようとする課題】
【０００７】
したがって、本発明の目的は、トイレを使用するのに十分な程度にシート領域を容易に開くことができるワンピース衣服を提供することである。
【０００８】
さらに、本発明の目的は、サイクリング用のビブパンツのようなワンピース衣服であって、弾性材料から成り、トイレを使用するのに十分な程度にシート領域を容易に開くことができるワンピース衣服を提供することである。
【０００９】
特に、本発明の目的は、サイクリング用のビブパンツのようなワンピース衣服であって、ビブパンツの上の別の衣服を脱ぐことなくトイレを使用するのに十分な程度にシート領域を容易に開くことができるワンピース衣服を提供することである。
【課題を解決するための手段】
【００１０】
本発明の目的は、独立な特許請求項１の特徴によって達成される。第一の実施形態は従属請求項２から１４までの特徴によって記載される。別の実施形態は、従属請求項１５から２１までに記載される。
【００１１】
本発明の目的は、着用者の体の上部と下部を覆い、前面部と背面部及びシート領域を有するワンピース衣服によって達成される。この衣服は衣服右手サイドと衣服左手サイドとウエスト部を有する。また、衣服は少なくとも一つの閉止デバイスを有し、それには終端部と始端部があり、少なくとも一つの閉止デバイスは側方に衣服右手サイドと衣服左手サイドに沿って配置され、シート領域を開くことができるように少なくとも終端部は衣服の前面部に配置されている。
【００１２】
衣服の前面部は、着用者の肩とネックライン領域から下で体を覆う部分を意味すると理解される。衣服の背面部は着用者の背中とそこから下の体部分を覆う部分を意味すると理解される。この場合、シート領域は背面部の一部であり、臀部又はシートを覆う衣服部分を指す。さらに、衣服の上部と下部は区別され、上部はウエストの上で体を覆い、下部はウエストの下で体を覆う。衣服の衣服右手サイドと衣服左手サイドに沿って側方で延びる少なくとも一つの閉止デバイスは、衣服を背面部で開くことを可能にする。この場合、シート領域は上方背面部から分離されて臀部が露出する。これに関連して、衣服の上部がスリップせず、その上の衣服を脱がなくてもよいという利点がある。少なくとも一つの閉止デバイスの終端部を前面部に配置することで、終端部によって閉止デバイスが無制限に開くことができないために、閉止デバイスを開いたときにワンピース衣服が２つの別々の部分に分離することがないという利点がある。
【００１３】
閉止デバイスは、歯つき又は封止リップつきジップファスナー、ボタン又はスタッドファスナー（ホック又はボタンとボタンホール）、ベルクロ（Velcro）、又は２つの部分を接合するその他の公知の閉止メカニズムであってよい。本発明の目的には、閉止デバイスは、例えばジップファスナーのように中断されていないと言う意味で連続的であることが好ましい。公知の閉止デバイスは弾力的でない。
該少なくとも一つの閉止デバイスは終端部と始端部を有する。始端部は閉止デバイスの開放が始まる（又は閉止動作が終わる）箇所を意味すると理解される。ジップファスナーの場合、始端部はジップファスナーのスライダーがジップファスナーの歯又は封止リップを開き始める箇所である。ある実施形態では、始端部はオープンデザインになっている、すなわち２つのジップファスナーのストリンガー（stringer）は端で接合せずに離れている。別の実施形態では、始端部はクローズドデザインになっている、すなわち２つのジップファスナーのストリンガーは端で一緒になっていて分離できないユニットである。ジップファスナーのスライダーはジップファスナーのストリンガーの歯又は封止リップから外へ出ることができない。
終端部は閉止デバイスの開放が終わる（又は閉止動作が始まる）箇所を意味すると理解される。終端部は、特に、閉止デバイスの開放を制限する閉じた終端であり、それによって衣服はワンピースになる。ジップファスナーの場合、終端部はジップファスナーのスライダーによって２つの別々のジップファスナー・ストリンガーに分離することができない閉じた終端部として構成される。例えば、２つのジップファスナー・ストリンガーが終端で一緒になって分離できない端を形成する。その結果、ジップファスナーのスライダーを引いて開く動き、すなわちジップファスナーの開放、は閉じた終端部でストップする。同時に、ジップファスナーの歯又は封止リップの閉止は、ジップファスナーのスライダーが始端部の方へ動かされるとただちに始まる。
【００１４】
ある実施形態では、少なくとも一つの閉止デバイスの終端部と始端部は前面部にあり、閉止部分が始端部から終端部の方へ開くと、シート領域が衣服右手サイドと衣服左手サイドで側方に、そして背面部で下方に開き、その結果臀部を越えて引っ張ることができる。この場合、衣服の上部は着用位置のままで変化せず、その上に着けた別の衣服は着けたままに保たれる。この実施形態では、始端部と終端部はクローズドデザインでありワンピースでフィットした形を保証する。
【００１５】
閉止デバイスは、好ましくはウエスト領域をまわって延びるジップファスナーであり、閉止デバイスが閉じた状態の始端部にジップファスナーのスライダーがある。終端部の方へのスライダーの動きでジップファスナーの歯が開く。
【００１６】
この実施形態の別の変形では、衣服は少なくとも一つのストレッチング・ゾーンを含む弾性コンポーネントを有する。弾性コンポーネントは弾性材料を含むものであってよい。特にサイクリング用パンツの場合、衣服は少なくとも一部又は全部が弾性材料から作られる。弾性材料によって、サイクリング用パンツをぴったりとフィットして納まるように着けることが可能になる。引き伸ばすことができ、それに応じて戻る性質もあって引き伸ばした後で弾性材料が元の状態をとることができるすべての材料、特に織物、が使用される弾性材料として考慮される。これに関して、織物自身が弾性を、例えばその編みの性質によって有することもある。他方、織物にエラスタン（elastane）（ストレッチ可能な合成繊維）を加えて弾性を有するようにすることもある。この場合、エラスタンは織物を構成する少なくとも一つの他のタイプの繊維と混合される。この場合弾性のある織物は少なくとも１％のエラスタンを含まなければならない。ある実施形態ではエラスタン含有量は３％から５％の間であり、別の実施形態ではエラスタン含有量は２０％を超えて、例えば２２％である。ある選ばれた実施形態では、７８％のポリアミドと２２％のエラスタンから成るニットウエアが弾性材料として用いられる。
【００１７】
理想的にはストレッチング・ゾーンが前面部にあるのがよい。ストレッチング・ゾーンは背面部にあっても、前面部と背面部にあってもよい。ストレッチング・ゾーンは、弾性材料のコンポーネントと通常は非弾性的な、ジップファスナーなどの少なくとも一つの閉止デバイスとの間の応力を補償して、この衣服を適切にぴったりとフィットしてしわにならないように着け続けることができるようにする。ある実施形態では、ストレッチング・ゾーンは閉止デバイスの終端部と始端部の間に配置されて、好ましくは弾性材料における開口という形又は特定のストレッチ可能な材料という形をとる。
【００１８】
本発明の目的を達成するための別の実施形態では、ワンピース衣服は第一の閉止デバイスと第二の閉止デバイスを有する。第一の閉止デバイスは衣服の前面部と背面部の間の衣服左手サイドのまわりで側方に配置される。第二の閉止デバイスは衣服の前面部と背面部の間の衣服右手サイドのまわりで側方に配置される。第一及び第二の閉止デバイスの終端部は前面部に配置される。第一及び第二の閉止デバイスの始端部はシート領域を開くことができるように背面部に互いに向き合って配置される。第一及び第二の閉止デバイスは好ましくはジップファスナーとして形成される。
閉止デバイスは衣服の衣服右手サイドと衣服左手サイドのまわりで、背面部からスタートして前面部の方向にそれぞれ開くことができる。前面部にある終端部がそれぞれの閉止デバイスの開放をストップさせる。終端部は閉止デバイスの開放が衣服を上部と下部に完全に分離する可能性を防ぐ。完全に分離せずにシート領域だけが背面部と両サイドで開き、その結果背面の上部から分離する。このようにしてシート領域を臀部を越えて引くことができる。背面の上部は元の位置にとどまる。
特に、第一及び第二の閉止デバイスはウエスト領域に配置される。本実施形態が提供する衣服も同様に少なくとも一つの弾性的なコンポーネントと少なくとも一つのストレッチング・ゾーンを有し、ストレッチング・ゾーンは前面部及び／又は背面部に配置される。特に、ストレッチング・ゾーンは同様にウエスト領域に配置される。有利な形として、この少なくとも一つのストレッチング・ゾーンは第一及び第二の閉止デバイスの終端部の間又は第一及び第二の閉止デバイスの始端部の間に配置される。その結果、非弾性的な閉止デバイスの終端部の間又は始端部の間にストレッチ可能な領域が生み出される。
第一のストレッチング・ゾーンを前面部に設け、第二のストレッチング・ゾーンを背面部に設けることが特に有利である。この場合、第一のストレッチング・ゾーンは前面部に第一の開口を有し、第二のストレッチング・ゾーンは背面部に第二の開口を有することができる。これによって弾性材料に厄介なしわや凸凹が生じないことが保証される。
この実施形態の別の変形では、第一及び第二のジップファスナーの終端部が第一のストレッチング・ゾーンに割り当てられ、第一及び第二のジップファスナーの始端部が第二のストレッチング・ゾーンに割り当てられる。
【００１９】
次に、本発明の実施形態について添付図面を参照してさらに説明する。
【図面の簡単な説明】
【００２０】
【図１】図１は、本発明によって作られたワンピース衣服の第一の典型的な実施形態を示す側面斜視図であり、閉止デバイスが閉じている状態、したがってシート領域が閉じている状態で示す。
【図２】図２は、図１に示された第一の典型的な実施形態を、閉止デバイスが開いている状態で、したがってシート領域が開いている状態で示す側面斜視図である。
【図３】図３は、本発明によって作られた第一の典型的な実施形態に係わるワンピース衣服の背面部を示す概略図であり、閉止デバイスが閉じられ、閉止デバイスのそれぞれの始端部の間にストレッチング・ゾーンを有する。
【図４】図４は、図３に示されるような本発明によって作られたワンピース衣服の衣服左手サイドを示す概略図であり、閉止デバイスが両サイドをめぐって延びている。
【図５】図５は、図３に示されるような本発明によって作られたワンピース衣服の前面部を示す概略図であり、閉止デバイスが閉じられ、閉止デバイスのそれぞれの終端部の間にストレッチング・ゾーンを有する。
【図６】図６は、本発明によって作られた第二の実施形態に係わるワンピース衣服の前面部を示す概略図であり、閉止デバイスがウエスト領域をめぐって延び、閉止デバイスの始端部と終端部の間にストレッチング・ゾーンを有する。
【図７】図７は、図６に示される本発明によって作られたワンピース衣服の背面部を示す概略図であり、閉じられた閉止デバイスがウエスト領域をめぐって延びている。
【図８】図８は、サイクリング用ビブパンツの形の本発明によるワンピース衣服を着けた着用者を示す概略図であり、ビブパンツのシート領域が臀部を越えて引かれている。
【発明を実施するための形態】
【００２１】
いろいろな形で示される実施形態において、同様のパーツは同じ参照数字で表されている。記載されている位置の記述、例えば上方、下方、側方、などはそれぞれの時点で記載され図示されている図にも関するものであり、位置に変更がある場合は新しい位置にも同様に移される。例示され記載された典型的な実施形態における個々の特徴及び特徴の組合せはそれ自身が独立な、進歩的な、又は本発明に係わるソリューションを表す。
【００２２】
図１と２は本発明に係わるワンピース衣服を基本的な機能を有する形で示す。
【００２３】
図１は、特許請求項１から１５までの特徴を有するワンピース衣服の第一の実施形態を示す。衣服１０は、特にスポーツ・サイクリングに適したワンピース・ビブパンツである。ワンピース・ビブパンツの場合、主としてストラップの形である上部とパンツの形の下部が分離できないように互いに接合されている。パンツは長いパンツレッグを有しても、短いパンツレッグを有してもよい。上部は、ストラップでなく上体を覆う着衣、例えばＴシャツ又は短い又は長いスリーブのジャージーであってもよい。
【００２４】
ウエスト領域２０は、着用者の胴回りが最も狭い領域であるウエストにある衣服部分である。衣料産業ではウエストは通常ウエストラインが目立つように作られる（図３から７までを見よ）。ウエスト領域２０はウエストラインの上と下の領域である、通常それは着用者のヒップの上、そしてチェストの下の領域である。
【００２５】
ビブパンツとして示された衣服１０は、また、前面部１２と背面部１４及びシート領域１６，並びに上部１１と下部１３を有する。この典型的な実施形態では、上部１１は前面部１２に２つのストラップ部を有し、それらはウエスト領域で始まり、ショルダー領域を越えて背面部１４に達する。背面部１４は、切れ目なく背中を覆う着衣部分として形成されている。下部１３は短いパンツレッグを有する。
ビブパンツ１０は少なくとも一部分が弾性材料で作られ、着用者のヒフにビブパンツ１０がぴったりフィットするようになっている。ビブパンツの全体が弾性材料から作られている場合、それはストレッチ・パンツとも呼ばれ、例えば着用者の体寸法を超えて引き伸ばすこともできる。
引き伸ばすことができ、それに応じて回復する性質もあって引き伸ばした後でも元の状態に戻ることができるすべての材料、特に織物、が使用できる弾性材料として考慮される。この点で、織物自身が、例えば対応する編みの性質によって弾性を有することもある。他方、織物にエラスタン（引き伸ばすことができる合成繊維）を添加することによって弾性が得られることもある。この場合、エラスタンは織物を構成する少なくとも一つの別の繊維と混合される。弾性織物は少なくとも１％のエラスタンを含む。ある実施形態では、エラスタン含有量は３％から５％までの間である。別の実施形態では、エラスタン含有量は２０％超、例えば２２％である。典型的な本実施形態では、ビブパンツは主に７８％ポリアミドと２２％エラスタンから成る弾性織物から製造される。
別の典型的な実施形態ではビブパンツは一部が弾性材料、一部が非弾性材料から製造される。
【００２６】
ビブパンツ１０は、衣服右手サイド１７と衣服左手サイド１８を有する。
衣服右手サイド１７は、ビブパンツ１０を着用したときに着用者の右腕が位置するビブパンツ１０の側面である。したがって衣服右手サイド１７は着用者の体の右半分の部分を覆う。
衣服左手サイド１８は、ビブパンツ１０を着用したときに着用者の左腕が位置するビブパンツ１０の側面である。したがって衣服左手サイド１８は着用者の体の左半分の部分を覆う。
【００２７】
図１に示された実施形態は、また、２つの閉止デバイス２６，２８を有し、第二の閉止デバイス２８の始端部２５Ｂだけが見られる。第一の閉止デバイス２６は衣服左手サイド１８のまわりで前面部１２と背面部１４の間を側方に延びている。第二の閉止デバイス２８（図１では見えない）は衣服右手サイド１７のまわりで前面部１２と背面部１４の間を側方に延びている。第一の閉止デバイス２６は始端部２５Ａと終端部２３Ａ（図１では見えない）を有する、第二の閉止デバイス２８は始端部２５Ｂと終端部２３Ｂ（図１では見えない）を有する。
【００２８】
本発明でいう閉止デバイスとは、あるものの２つの対向する側を接合するために知られているすべてのシステムを指すと理解すべきである。それは例えば、ジップファスナー、歯の代わりに封止リップを有するジップファスナー（２つの封止リップの圧着）、ボタン又はスタッド、例えばホック、及びVelcroファスナー、などを含む。
例えば、YKKドイツGmbH、マインハウゼン、ドイツ、又はmas s.r.l.社、パラッゾロ、イタリー、から市販されているジップファスナーなどを使用することができる。ある実施形態では、ジップファスナーは幅が4.2 mm（YKKからの＃３ジップファスナー、又はman s.r.l.からのＮ４ジップファスナーに相当する）である。すべての入手できる幅のジップファスナーが使用できる。
【００２９】
閉止デバイスの終端部とは、例えば、ジップファスナーの終端部を指すと理解すべきである。本発明のある実施形態では、終端部は閉じた構成になっていて、ジップファスナーのスライダーによって２つの別々のジップファスナー・ストリンガーに分離できないようになっていなければならない。例えば、２つのジップファスナー・ストリンガーは終端部で一緒になって分離できない端を形成する。その結果、ジップファスナー・スライダーを引いて開く動き、すなわちジップファスナーの開放、は終端部でストップする。同時に、ジップファスナーの歯又は封止リップの閉止は終端部でジップファスナー・スライダーが始端部の方向に動かされるとすぐに始まる。ボタンやスタッドの場合、前面部のボタン又はスタッド・ストリップの端が終端部を形成する。
閉止デバイスの始端部は、例えば、ジップファスナーの始端部を指すと理解すべきである。本発明によれば、始端部は、ジップファスナー・スライダーがジップファスナーの歯又は封止リップを開き始めるジップファスナーの箇所である。ボタン又はスタッドの場合、背面部のボタン又はスタッド・ストリップの端が始端部を形成する。ある実施形態では、始端部が閉じた構成である、すなわち２つのジップファスナー・ストリンガーがその端で一緒になって分離できないユニットを形成する。ジップファスナー・スライダーはジップファスナー・ストリンガーの歯又は封止リップからスライドして外れることができない。
【００３０】
本発明によると、第一及び第二の閉止デバイス２６，２８の始端部２５Ａ、２５Ｂは背面部にあり、第一及び第二の閉止デバイス２６，２８の終端部２３Ａ、２３Ｂはビブパンツ１０の前面部にある。この配置は、第一及び第二の閉止デバイス２６，２８を開くことによってシート領域１６が背面部１４から始めて開かれ、上方の背面部１４から分離されるという効果を達成する。このようにして下方部分１３は背面部１４の領域で、そして部分的に衣服右手サイド及び衣服左手サイド１７，１８でも、上部１２から脱離する。下部１３におけるシート領域１６はその結果自由に動けるようになり、上部１１はその位置を維持する（ヒンジの原理）。前面部１２における終端部２３Ａ、２３Ｂは下部１３が上部１１から完全に離れることを防ぐ。着用者はシート領域１６を下へ臀部を越えて引くことができ、上部１１とその上に着けている別の衣服を脱ぐことなく何も問題なくトイレに行くことができる。
【００３１】
図２は、図１に示されたビブパンツ１０を開かれた状態で示す。２つの閉止デバイス２６，２８は、背面部１４からスライダーが前面部１２の終端部２３Ａ、２３Ｂ（図２では見えない）で静止するまで開かれる。このようにしてシート領域１６は下へ自由に動くことができ着用者の臀部を越えて引くことができる。シート領域１６は下部１３の背面部１４で蝶番のように所望する位置に動かすことができ、上部１１はその位置を変えない。これは特に、上部１１の上に着用された別の衣服を脱がずに、例えばトイレに行くこともできるという利点がある。
【００３２】
図３には、ワンピース衣服１０の背面部１４が示されている。背面部１４のシート領域１６を含む下部１３は実質的に短いレッグ・パンツである。上部１１の背面部１４は着用者の背中をほぼ完全に覆っている。ウエスト領域２０で、示されたウエストライン１９の下に２つの閉止デバイス２６，２８が延びている。第一の閉止デバイス２６は衣服左手サイド１８に沿って背面部１４に延びている。第二の閉止デバイス２８は衣服右手サイド１７に沿って背面部１４に延びている。第一の閉止デバイス２６の始端部２５Ａと第二の閉止デバイス２８の始端部２５Ｂは、背面部１４のシート領域１６の上にあって互いに対向している。始端部２５Ａ、２５Ｂはオープンデザインになっている。この場合、始端部２５Ａ、２５Ｂはすぐ隣接して配置され、例えば互いに直接接触している。別の実施形態では、図３にも示されているように、始端部２５Ａ、２５Ｂは互いにある距離をおいて配置される。この距離はストレッチング・ゾーン２４を規定し、これはビブパンツ１０の弾性材料と非弾性閉止デバイス２６，２８の間の応力を補償する役目がある。対応するストレッチング・ゾーンがない場合、非弾性閉止デバイスと弾性材料の間の隣接領域にしわが発生する可能性がある。ストレッチング・ゾーン２４はそのようなしわを防止し、ビブパンツがきつくぴったりフィットするようにする。ストレッチング・ゾーン２４は、図示されているように、弾性材料の開口によって形成することができる。２つの閉止デバイス２６，２８の始端部２５Ａ、２５Ｂは、したがって、この開口／ストレッチング・ゾーン内に配置される。
別の実施形態では、ストレッチング・ゾーンは引き伸ばすことができる材料で形成される。
【００３３】
好ましくは、２つの閉止デバイス２６，２８は２つのジップファスナーによって構成される。それぞれのジップファスナー２６，２８の終端部２３Ａ、２３Ｂ（図３では見えない）は閉じており互いに分離できないように接合されたジップファスナー・ストリンガーによって形成されている。各ジップファスナー２６、２８の開いた始端部２５Ａ、２５Ｂにはジップファスナーを開閉するためのジップファスナー・スライダーがある。
【００３４】
図４は、図３に示された本発明によるビブパンツ１０を示す側面図であり、特に衣服左手サイド１８を示している。第一の閉止デバイス２６は衣服左手サイド１８に沿って前面部１２から背面部１４へ延びている。図４は、閉止デバイス２６がウエスト領域２０内において前面部１２でウエストライン１９の上から背面部１４でウエストライン１９の下へ延びる実施形態を示している。この配置は２つの閉止デバイス２６，２８を手で開いたり閉じたりすることを容易にする。別の実施形態では、閉止デバイスが反対の方向に延びている、詳しくいうと、前面部１２でウエストライン１９の下から背面部１４でウエストライン１９の上の領域に延びている。他の実施形態では、閉止デバイスは実質的にウエストライン１９に沿って延びている。
【００３５】
図５は、図３に示された本発明によるワンピース衣服１０の前面部１２を示す。前面部１２は２つのストラップ１５によって占められ、それが背面部１４から上体に沿って延び、ウエスト領域２０においてパンツレッグで終わっている。２つのストラップ１５は衣服１０の前面部１２で開口を画定し、それがウエスト領域２０でもう一つのストレッチング・ゾーン２２としての機能を帯びる。第一及び第二の閉止デバイス２６，２８の終端部２３Ａと２３Ｂはこの開口のエッジにおいて互いにある距離をおいて位置している。２つの閉止デバイス２６，２８が開放されるとき、開放は閉じた終端部２３Ａと２３Ｂでストップし、終端部２３Ａと２３Ｂが衣服１０の上部１１と下部１３が完全に分離することを防ぐ。したがって、図示の実施形態では、閉止デバイス２６，２８はそれぞれ第一のストレッチング・ゾーン２２と第二のストレッチング・ゾーン２４の間に配置される、詳しく言うと、好ましくは終端部２３Ａと２３Ｂが第一のストレッチング・ゾーン２２に割り当てられ、始端部２５Ａと２５Ｂが第二のストレッチング・ゾーン２４に割り当てられるという形で配置される。
【００３６】
図６と図７は、本発明による特許請求項１に記載のワンピース衣服１０の特許請求項１６から２０までを合わせた第二の実施形態を示す。第一の実施形態との違いとして、第二の実施形態のワンピース衣服１０は、ウエスト領域２０をめぐって延びる閉止デバイス２１を有し、前記デバイスの少なくとも終端部２３は前面部１２に配置されている。
【００３７】
図６は、衣服１０の前面部１２を示す。前面部１２は２つのストラップ１５を有し、それらは背面部１４から前面部１２の上部１１に沿って延び、ウエスト領域２０を通りパンツレッグで終わる。２つのストラップ１５は前面部１２で開口を画定し、それはウエスト領域２０でストレッチング・ゾーン２２の機能を帯びる。ジップファスナーの形の閉止デバイス２１が前面部１２から側方へ衣服左手サイド１８に沿って延び、背面部１４を横断して衣服右手サイド１７に沿って側方に延び再び前面部１２に至る。したがって、閉止デバイス２１はウエスト領域２０で衣服１０をめぐり、始端部２５と終端部２３がそれぞれ前面部１２に配置される。この場合、始端部２５と終端部２３はウエストライン１９の上に位置する、始端部２５と終端部２３の間に延びるジップファスナーは実質的にウエストライン１９の下に位置する（図７を見よ）。この配置はジップファスナーを手で開いたり閉じたりすることを容易にする。
図示された実施形態では、始端部２５と終端部２３はストレッチング・ゾーン２２によって互いからある距離を置いて配置されている。始端部２５と終端部２３は、ある距離をおいて、又は距離をおかずに対向するように配置することも可能である。閉止デバイス２１を開くと、シート領域１６（図６では見えない）が背面部上方から下へ畳まれるが、上部１１は位置を変えない。シート領域１６はその後容易に臀部を越えて引くことができる。
【００３８】
図７には、図６に示された衣服１０の背面部１４が示されている。背面部１４には、シート領域１６が属しており、それは主に衣服１０の下部１３にある。閉止デバイス２１は衣服左手サイド１８から衣服右手サイド１７へ切れ目なく延びている。
【００３９】
図８は、本発明によるワンピース衣服１０を実際の応用で示している。着用者３０は第一及び第二の閉止デバイス２６，２８を開いており、背面部１４のシート領域１６を下へ臀部を越えて引くことができる。上部１１は元の位置にとどまっている。
【図１】
0005525040.tif 000002
【図２】
0005525040.tif 000003
【図３】
0005525040.tif 000004
【図４】
0005525040.tif 000005
【図５】
0005525040.tif 000006
【図６】
0005525040.tif 000007
【図７】
0005525040.tif 000008
【図８】
0005525040.tif 000009